【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】  少なくとも１つのデジタル・インタラクティブ・デコーダ（２）を含むデジタル・インタラクティブ・ラジオ放送システム（digital interactive radio-broadcasting system）（１）の複数のサービスおよび／またはチャネルの間のナビゲーション・イベントを制御するためのサービス・ブラウザ・プロセスであって、
前記システムは前記デコーダによって受信されるアプリケーションを放送し、そこで、前記プロセスは、前記サービスを前記デコーダのユーザーに提示し、かつ前記ユーザーによって起動される制御手段（１５）を通して他のサービスまたはチャネルへのナビゲーションを可能にし、そこにおいて、
前記アプリケーションは、前記ナビゲーションを制御するように設計され、および前記サービスの知識を有するサーファ・アプリケーションと呼ばれる第１のタイプと、サービスを提供する組込みバナーと呼ばれる第２のタイプを含めて、少なくとも２つのタイプのアプリケーションに分類されており、
前記プロセスは、
（ｉ）サーファ・アプリケーションを放送されるデータストリーム内で識別する（２１）こと、
（ｉｉ）前記識別されたサーファ・アプリケーションを使用してサービスに同調する（３４）こと、
（ｉｉｉ）前記サーファ・アプリケーションを、サーファ・キャッシュと呼ばれる前記デコーダ・メモリの専用部分（２２）内にダウンロードすること、
（ｉｖ）ナビゲーション・イベントを検出すること、
（ｖ）サーファ・アプリケーションが利用可能か、あるいは前記デコーダがサーファ・アプリケーションの制御下にあるかを検査すること、
（ｖｉ）前記サーファ・アプリケーションが利用可能か、あるいは前記デコーダがサーファ・アプリケーションの制御下にあるかの決定に応じて、前記ナビゲーション・イベントを前記サーファ・アプリケーションに経路指定すること、および
（ｖｉｉ）前記サーファ・アプリケーションが利用可能か、あるいは前記デコーダがサーファ・アプリケーションの制御下にあるかの決定に応じて、前記ナビゲーション・イベントを組込みバナーに経路指定すること、
を備える
ことを特徴とするサービス・ブラウザ・プロセス。
【請求項２】  請求項１に記載のプロセスにおいて、前記ナビゲーション・イベントの検出と前記サーファ・アプリケーショインが利用可能であるとの決定に応じて、前記ポロセスは、
前記サーファ・アプリケーションを開始させること、
前記サーファ・アプリケーションが可視モードの動作に入ること、および
前記ナビゲーション・イベントに対応するサービスお選択すること
を備えることを特徴とするプロセス。
【請求項３】  請求項１又は２に記載のプロセスにおいて、サーファ・アプリケーションとは異なるアプリケーションであって通常アプリケーションと呼ばれるアプリケーションが表示されるときに、サーファ・アプリケーションは、停止され、前記通常アプリケーションが終了したときにそのサーファ・キャッシュから再起動されることを特徴とするプロセス。
【請求項４】  請求項１から３のいずれか一項に記載のプロセスにおいて、前記プロセスは、複数のサーファ・アプリケーションが存在可能であり、さらに、サーファのリストを使用して、ユーザーが前記リストから特定のサーファ・アプリケーションを選択し、かつ選択後に希望するならば前記リストに戻ることを可能にするインタフェースを提示すること（４２）、を備えることを特徴とするプロセス。
【請求項５】  請求項１から４のいずれか一項に記載のプロセスにおいて、前記プロセスがＤＶＢ環境で実装（implement）され、サーファ・アプリケーションはブーケ・アソシエーション・テーブル（ＢＡＴ）でシグナルされる（signal）ことを特徴とするプロセス。
【請求項６】  請求項１から５のいずれか一項に記載のプロセスにおいて、複数のサーファ・アプリケーションを複数の対応するサーファ・キャッシュ内にダウンロードし、前記サーファ・アプリケーションの１つを選択することをさらに備えることを特徴とするプロセス。
【請求項７】  請求項１から６のいずれか一項に記載のプロセスにおいて、サーファ・アプリケーションは、可視およびトランスペアレント実行モードを持つことを特徴とするプロセス。
【請求項８】  少なくとも１つのデジタル・インタラクティブ・デコーダ（２）を含む、複数のサービスおよび／またはチャネルの間のナビゲーション・イベントを制御するためのデジタル・インタラクティブ・ラジオ放送システムdigital interactive Radio-Broadcasting system）（１）であって、
前記システムは、前記デコーダによって受信されるアプリケーションを放送し、前記システムは、前記サービスを前記デコーダのユーザーに提示し、かつ前記ユーザーによって起動される制御手段を通して他のサービスまたはチャネルへのナビゲーションを可能にし、
前記アプリケーションは、前記ナビゲーションを制御するように設計され、および前記サービスの知識を有するサーファ・アプリケーションと呼ばれる第１のタイプと、サービスを提供する組込みバナーと呼ばれる第２のタイプを含めて、少なくとも２つのタイプのアプリケーションに分類されており、
前記デコーダは、
（ｉ）サーファ・アプリケーションを放送されるデータストリーム内で識別する識別手段（２１）と、
（ｉｉ）前記識別されたサーファ・アプリケーションを使用してサービスに同調する手段（３４）と、
（ｉｉｉ）前記サーファ・アプリケーションを、サーファ・キャッシュ（２２）と呼ばれる前記デコーダ・メモリの専用部分内にダウンロードするダウンロード手段と、
（ｉｖ）ナビゲーション・イベントを検出する検出手段と、
（ｖ）サーファ・アプリケーションが利用可能か、あるいは前記デコーダがサーファ・アプリケーションの制御下にあるかを検査する検査手段と、
（ｖｉ）前記サーファ・アプリケーションが利用可能、あるいは前記デコーダがサーファ・アプリケーションによって制御される場合に、前記ナビゲーション・イベントを前記サーファ・アプリケーションに経路指定する経路指定手段と、
（ｖｉｉ）前記サーファ・アプリケーションが利用可能、あるいは前記デコーダがサーファ・アプリケーションによって制御される場合に、前記ナビゲーション・イベントを組込みバナーに経路指定する経路指定手段と
を備えることを特徴とするシステム。
【請求項９】  請求項８に記載のシステムにおいて、前記ナビゲーション・イベントの検出と前記サーファ・アプリケーショインが利用可能であるとの決定に応じて、前記デコーダは、さらに、
前記サーファ・アプリケーションを開始させ、前記サーファを可視にさせる手段と、
前記ナビゲーション・イベントに対応するサービスを選択する手段と
を備えることを特徴とするシステム。
【請求項１０】  請求項８または９に記載のシステムにおいて、前記システムは、サーファ・アプリケーションとは異なるアプリケーションであって通常アプリケーションと呼ばれるアプリケーションが表示されるときに、サーファ・アプリケーションを停止させるための停止手段と、および前記通常アプリケーションが終了したときに前記サーファ・キャッシュから前記サーファ・アプリケーションを再起動するための再起動手段と
を備えることを特徴とするシステム。
【請求項１１】  請求項８から１０のいずれか一項に記載のシステムにおいて、複数のサーファ・アプリケーションが存在可能であり、さらに、サービスのリストを使用して、ユーザーが前記リストから特定のサーファ・アプリケーションを選択し、かつ選択後に希望するならば前記リストに戻ることを可能にするインタフェースを提示するための手段（４１）、を備えることを特徴とするシステム。
【請求項１２】  請求項８から１１のいずれか一項に記載のシステムにおいて、前記デコーダ（２）のメモリ（２０）は、対応する様々なサーファ・アプリケーションを格納するための複数のサーファ・キャッシュを備えることを特徴とするシステム。
【請求項１３】  請求項８から１２のいずれか一項に記載のシステムにおいて、前記システムはＤＶＢ環境で実装（implement）され、サーファ・アプリケーションがブーケ・アソシエーション・テーブル（ＢＡＴ）でシグナルされる（signal）ことを特徴とするシステム。
【手続補正２】
【補正対象書類名】明細書
【補正対象項目名】０００２
【補正方法】変更
【補正の内容】
【０００２】
サービス・ブラウザ・プロセスは、ラジオ放送またはＴＶ環境内で、もしくはＴＶネットワークをまたいで他のサービスへのリンクを提供するデジタル統合レシーバ・デコーダ（ＩＲＤ）において、複数のサービスおよび／またはチャネルの間のナビゲーションを制御し、これらのサービスに視聴者が同調する（tune）ことを可能にするためのプロセスである。
【手続補正３】
【補正対象書類名】明細書
【補正対象項目名】０１３７
【補正方法】変更
【補正の内容】
【０１３７】
他のサーファはより少ない、またはより多くの機能性を提供するかもしれないが、そのような記述したサーファ挙動と相互作動するように、ナビゲータを実現する必要がある。
【手続補正４】
【補正対象書類名】明細書
【補正対象項目名】０１８６
【補正方法】変更
【補正の内容】
【０１８６】
消費者はこの制作者ＩＤを選択することができる。実際に、彼は彼のデコーダのメモリの区分化を実行し、したがって消費者は、どの放送会社がデコーダの資源を利用することができるかを決定する。